(57)【要約】【課題】導線に振動が加わって隣接する素線間で接触状態が変化し、或いは素線の断線が生じて隣接する素線との間で接触状態が変化した場合でも、信号入力端から見た抵抗値に変化が生じることなく、スピーカへの駆動信号の入力線として好適な導線とそれを用いたスピーカを提供する。【解決手段】素線２ａは複数本の芯糸２１が寄り合わされた軸心に導体２２が巻装されたものであって、導体２２の表面は絶縁体２３で被覆されている。導体２２は体積占有の点から丸線よりも断面が矩形である平角線が好適である。素線２ａを複数本、例えば３本を用いて線材を構成する。これら３本の素線２ａは撚られたり、編み上げられたり、束ねられたりして線材形成する。更にこの線材の３本が撚られたり、編み上げられたり、束ねられたりして導線２を形成する。【選択図】    図４
2004178838.tif 000002
【特許請求の範囲】
【請求項１】
振動体と該振動体を駆動させるための駆動信号が入力される入力端子との間を電気的に接続する複数の素線より構成された導線であって、前記素線の夫々は互いに電気的に絶縁されていること
を特徴とする導線。
【請求項２】
当該導線は、前記素線の複数本を撚り、編み及び束ねることのうち少なくとも一つにより線材を形成し、更に該線材の複数本を撚り、編み及び束ねることうち少なくとも一つにより形成された導線であること
を特徴とする請求項１に記載の導線。
【請求項３】
前記素線は芯糸とその表面に巻装された導体とよりなり、且つ、前記導体の表面は絶縁体で被覆されていること
を特徴とする請求項１に記載の導線。
【請求項４】
前記素線は芯糸とその表面に巻装された導体とよりなり、且つ、前記素線の表面は絶縁体で被覆されていること
を特徴とする請求項１に記載の導線。
【請求項５】
前記導体は、その断面が矩形である平角の導体であること
を特徴とする請求項３又は４に記載の導線。
【請求項６】
請求項１から請求項５のいずれか一項に記載の導線をボイスコイルへの信号入力線として用いることを
特徴とするスピーカ。
【発明の詳細な説明】
【０００１】
【発明の属する技術分野】
本発明は、振動体と該振動体を駆動させるための駆動信号が入力される入力端子との間を電気的に接続する導線と、これを用いたスピーカの技術分野に属する。
【０００２】
【従来の技術】
近年、スピーカは高品質の音楽ソースの普及により、音声出力が高品位で行われることが求められ、特に高い周波数成分やハイパワーの入力に対しても歪みの少ない音声出力が要求されている。このためスピーカの各構成要素についても種々、研究開発が行われているところである。その中でボイスコイルに駆動信号を入力する導線についても抵抗値や強度において所定の特性が要求され、検討がなされてきている。
【０００３】
このような状況における従来の導線は、例えば図１〜図３に示す形状を備える。まず、図１（ａ）の斜視図、及び図１（ｂ）の断面図に示すように、複数本の芯糸１１に導体１２が巻装された素線１ａが、図２に示すように複数本、例えば３本が撚り合わされ、又は編まれ、又は束ねられて線材１ｂが形成される。その線材１ｂが複数本、例えば３本が撚り合わされ、又は編まれ、又は束ねられて図３に示す導線１となる。このとき導線１の素線１ａは他の素線１ａに対して絶縁されておらず、夫々の素線１ａは隣接する素線１ａと所定の接触抵抗をもって接触している状態となる。
【０００４】
【発明が解決しようとする課題】
上述した形態の導線をスピーカへの駆動信号の入力線として用いた場合、スピーカの振動板と共に導線も振動し、素線間で接触状態が変化し、或いは素線の断線が生じることになる。この接触状態が変化して接触抵抗値が変化したり、或いは断線により、断線部と隣接する素線間で接触、非接触が繰り返し生じることで導線の信号入力端から見た抵抗値が変化することが生じる。このため、ボイスコイルに流れる電流が変動してノイズを発生するものであった。
【０００５】
従って本発明は、例えば上記問題点に鑑みなされたものであり、例えば導線に振動が加わって隣接する素線間で接触状態が変化し、或いは素線の断線が生じて隣接する素線との間で接触状態が変化した場合などでも、信号入力端から見た抵抗値に変化が生じることがない導線を提供することを課題とする。また、この導線をボイスコイルへの信号入力線として用いて高品位の音声再生を可能とするスピーカを提供することを課題とする。
【０００６】
【課題を解決するための手段】
上記課題を解決するために請求項１に記載の発明は、振動体と該振動体を駆動させるための駆動信号が入力される入力端子との間を電気的に接続する複数の素線より構成された導線であって、前記素線の夫々は互いに電気的に絶縁されている。
【０００７】
また、請求項６に記載の発明は、請求項１から請求項５のいずれか一項に記載の導線をボイスコイルへの信号入力線として用いるスピーカであることを特徴とする。
【０００８】
【発明の実施の形態】
本発明の実施の形態について以下に説明する。
【０００９】
本発明の実施の形態に係わる導線は、振動体と該振動体を駆動させるための駆動信号が入力される入力端子との間を電気的に接続する複数の素線より構成された導線であって、前記素線の夫々は互いに電気的に絶縁されている。
【００１０】
本発明の実施の形態に係わる導線によれば、複数の素線から構成され、夫々の素線は他の素線に対して電気的に絶縁されている。この導線を例えばスピーカのボイスコイルへの入力線として、フレームに取り付けられた入力端子部とボイスコイルとの間を電気的に接続する錦糸線に用いた場合、この錦糸線はスピーカのボイスコイルボビンと端子部との間で、入力信号に従って振動することになる。この振動によって隣接する素線間で接触状態が変化するが、夫々の素線は電気的に絶縁されているため、接触した状態での接触抵抗はなく、従って従来の導線において生じていた接触抵抗の変化はない。このため、この接触抵抗変化による音響的ノイズの発生はなく、高品位の音声再生が可能となる。
【００１１】
また、振動により素線の一部に断線が生じ、この断線部分が隣接する素線に接触しても絶縁されているため、接触、非接触の繰り返しによる抵抗値の変化は生じない。また、接触、非接触の繰り返しによる電磁的ノイズの発生も防止され、高品位の音声再生が可能となる。
【００１２】
尚、本発明の導線の適用はスピーカに限ることは無く、振動体とこの振動体を駆動させるための駆動信号が入力される入力端子との間を電気的に接続するものに適用できる。例えば、体感音響装置などのように、導線の接触抵抗の変化や断線による抵抗変化、断線部分の接触、非接触の繰り返し等による電磁的ノイズが害を及ぼす電子機器に用いることができる。
【００１３】
本発明の実施の形態に係わる導線の一態様では、当該導線は、前記素線の複数本を撚り、編み及び束ねることのうち少なくとも一つにより線材を形成し、更に該線材の複数本を撚り、編み及び束ねることうち少なくとも一つにより形成された導線である。
【００１４】
この態様によれば、まず、素線が、複数本が撚り合わされ、又は編み上げられ、又は束ねられることによって、線材が形成される。更にその線材の複数本が撚り合わされ、又は編み上げられ、又は束ねられることによって、本発明の導線が形成される。このようにして形成された導線は柔軟性に富み、振動の多い環境においても振動に対する動作抵抗は少なく、例えばスピーカの信号入力線として用いても、ボイスコイル、即ち振動板の動きを制限することは極めて少なく、また、断線が生じることも少ない。
【００１５】
本発明の実施の形態に係わる導線の他の態様では、前記素線は芯糸とその表面に巻装された導体とよりなり、且つ、前記導体の表面は絶縁体で被覆されている導線である。
【００１６】
この態様によれば、素線は、その表面が絶縁体で覆われた導体が芯糸に巻装された構造である。導体の表面が絶縁体で覆われているため、素線は他の素線に対して電気的絶縁が確保される。この素線により構成された導線は上述した効果を備える。
【００１７】
本発明の実施の形態に係わる導線の他の態様では、前記素線は芯糸とその表面に巻装された導体とよりなり、且つ、前記素線の表面は絶縁体で被覆されている導線である。
【００１８】
この態様によれば、素線は、導体が芯糸に巻装された構造であって、素線の表面は絶縁体で覆われた構造である。素線の表面は絶縁体で覆われているため他の素線に対して電気的絶縁が確保される。この素線により構成された導線は上述した効果を備える。
【００１９】
本発明の実施の形態に係わる導線の他の態様では、前記導体はその断面が矩形である平角の導体である。
【００２０】
この態様によれば、芯糸に巻装する導体はその断面が矩形の形状をしている。断面が円形である場合に対して、線積率、即ち巻き上げ密度が大きく、所定の巻き上げ断面に対して大きな電流が得られ、スピーカに用いた場合に、より大きな振動板の駆動力が得られる。この導体は表面が絶縁体で覆われていても良く、また、芯糸に巻装した後、全体を絶縁体で覆うようにしても良い。
【００２１】
本発明の実施の形態に係るスピーカは、上述した実施形態に係る導線（但し、その各種態様を含む）を、ボイスコイルへの信号入力線として用いるスピーカである。
【００２２】
本発明の実施の形態に係るスピーカによれば、本発明の導線をボイスコイルへの信号入力線として用いたものであり、スピーカのボイスコイルとフレームに取り付けられた入力端子部との間を電気的に接続する錦糸線に用いたものである。本発明の導線は接触抵抗の変化が無く、また断線による隣接した素線への電気的接触、非接触を繰り返すことは無い。また、ボイスコイルの振動に対する機械的抵抗も少なく、高品質の音声再生が可能となる。
【００２３】
本発明のこのような作用、及び他の利得は次に説明する実施例から明らかにされる。
【００２４】
【実施例】
（第一実施例）
本発明に係わる導線をスピーカ用錦糸線に適用した第一実施例について図４〜図６を参照して説明する。ここで、図４は本発明の第一実施例に係わる素線の構成を示す図であって、（ａ）は斜視図であり、（ｂ）は断面図である。また図５は図４に示す素線を３本用いて形成した線材の断面図であり、図６は図５に示す線材を３本用いて形成した導線（スピーカ用錦糸線）の断面図である。
【００２５】
まず図４に示すように、素線２ａは複数本の芯糸２１が寄り合わされた軸心に導体２２が巻装されたものであって、導体２２の表面は絶縁体２３で被覆されている。絶縁体２３はエナメル等の所定の絶縁材料が用いられる。また、導体２２は体積占有の点から丸線よりも断面が矩形である平角線が好適である。即ち、同一の巻装断面に対してより多くの電流を流すことが可能となる。
【００２６】
図４に示す素線２ａを複数本、例えば３本を用いて図５の断面図に示すように線材２ｂを構成する。これら３本の素線２ａは撚られたり、編み上げられたり、束ねられたりして線材２ｂ形成する。更にこの線材２ｂを複数本用いて導線が形成される。
【００２７】
次に、図５に示す線材２ｂを複数本、例えば３本を用いて図６に示すように導線２を構成する。これら３本の線材２ｂは撚られたり、編み上げられたり、束ねられたりして導線２を形成する。
【００２８】
上述したような構成を有する導線２は、それを構成する素線２ａはその表面が絶縁されているため、他の素線２ａと電気的に接触することは無い。スピーカに信号を入力する導体は、その一端はフレームに設けた入力端子に固着され、他の一端はボイスコイルに接続されるため、導体には振動や変形が加わることになる。特に高周波や大入力があった場合は顕著になる。
【００２９】
この振動や変形が加わることによって素線２ａは隣接する他の素線２ａとの接触状態が変化し、又は素線２ａが断線することが起こる。しかしながら、表面が絶縁体で被覆されている素線２ａでは、隣接する他の素線２ａとの接触状態が変化しても、それらの間に接触抵抗がないので、導線２の信号入力側から見た電気抵抗値に変動はなく、ノイズを発生することは無い。
【００３０】
また、素線２ａに断線が生じたとしても、断線部分で隣接する他の素線２ａと接触することはなく、同様に導線２の信号入力側から見た電気抵抗値は断線前よりも増大するとしても、スピーカ作動中の振動による電気抵抗値の変化は生じない。更に、接触、非接触の繰り返しによる電磁的ノイズの発生もない。
【００３１】
従って、第一実施例に示す導線２はスピーカの入力信号を導入する線材として用いることで、スピーカ作動中の振動に基づき接触抵抗の変化によるノイズの発生はなく、また、電磁的ノイズの発生もないので、高品位の音声再生を可能とする。
【００３２】
（第二実施例）
次に、図７〜図９を参照して本発明に係わる導線をスピーカ用錦糸線に適用した第二実施例について説明する。図７は本発明の第二実施例に係わる素線の構成を示す図であって、（ａ）は斜視図であり、（ｂ）は断面図である。また、図８は図７に示す素線を３本用いて形成した線材の断面図であり、図９は図８に示す線材を３本用いて形成した導線の断面図である。
【００３３】
まず図７に示すように、素線３ａは複数本の芯糸３１が寄り合わされた軸心に導体３２が巻装されたものであって、更に芯糸３１に巻装された導体３２の外側を絶縁体３３で被覆されている。絶縁体３３は樹脂製のチューブ等が好適に用いられる。また、導体３２は体積占有の点から丸線よりも平角線が好適である。即ち、同一の巻装断面積に対してより多くの電流が流せるためである。
【００３４】
図７に示す素線３ａを複数本、例えば３本を用いて図８に示すように線材３ｂを構成する。これら３本の素線３ａは撚られたり、編み上げられたり、束ねられたりして線材３ｂを形成する。更にこの線材２ｂを複数本用いて導線が形成される。
【００３５】
次に、図８に示す線材３ｂを複数本、例えば３本を用いて図９に示すように導線３を構成する。これら３本の線材３ｂは撚られたり、編み上げられたり、束ねられたりして導線３を形成する。
【００３６】
上述したような構成を有する導線３は、それを構成する素線３ａはその表面が絶縁されているため、他の素線３ａと電気的に接触することは無い。スピーカに信号を入力する導体は、その一端はフレームに取り付けられた入力端子部に固着され、他の一端はボイスコイルに接続されるため、導体には振動や変形が加わることになる。特に高周波や大入力があった場合は顕著になる。
【００３７】
この振動や変形が加わることによって素線３ａは隣接する他の素線３ａとの接触状態が変化し、又は素線３ａが断線することが起こることがある。しかしながら、表面が絶縁体で被覆されている素線３ａでは、隣接する他の素線３ａとの接触状態が変化しても、それらの間に接触抵抗がないので、導線３の信号入力側から見た電気抵抗値に変動はなく、ノイズを発生することは無い。
【００３８】
また、素線３ａに断線が生じたとしても、断線部分で隣接する他の素線３ａと接触することはなく、同様に導線３の信号入力側から見た電気抵抗値は断線前よりも増大するとしても、スピーカ作動中の振動による電気抵抗値の変化は生じない。更に、接触、非接触の繰り返しによる電磁的ノイズの発生もない。
【００３９】
従って、第二実施例に示す導線３はスピーカの入力信号を導入する線材として用いることで、スピーカ作動中の振動に基づき接触抵抗の変化によるノイズの発生はなく、また、電磁的ノイズの発生もないので、高品位の音声再生を可能とする。
【００４０】
（本発明に係わる導線を適用したスピーカの一例）
次に、図１０を参照して、本発明に係わる導線をスピーカ用錦糸線として適用したスピーカについて説明する。同図は外磁型スピーカの左半分に於ける断面図である。
【００４１】
スピーカ４はリング状のマグネット４１を挟んでヨーク４２とプレート４３とで構成される磁気回路を備え、ヨーク４２とプレート４３間に形成する磁気空隙４４中に、ボイスコイルボビン４５に同心円状に巻かれたボイスコイル４６が挿入されている。
【００４２】
プレート４３のマグネット４１とは反対の面にフレーム４７が固定されている。フレーム４７とボイスコイルボビン４５との間にダンパー４８が設けられていて、ボイスコイル４６が磁気空隙４４でヨーク４２とヨーク４３に接触することが無いように、ダンパー４８によって懸垂支持されている。ボイスコイルボビン４５の先端部はダストキャップ４９で、振動板５０に接着固定されている。
【００４３】
また、スピーカエッジ５１は振動板５０の外周部とフレーム４７の外周部を結合していて、振動板５０の振動に基づいて容易に変形し、フレーム４７に対する振動板５０の動きを支持する。
【００４４】
更に、フレーム４７の外側の所定部位に入力端子５２が設けられていて、この入力端子５２をターミナルとしてリード線５３からの駆動電流が錦糸線（導線）５４を介してボイスコイル４６に供給される。
【００４５】
ボイスコイル４６に信号が入力されると、磁気空隙４４の径方向に向かう磁束とボイスコイル４６に流れる同心円状の電流によって、矢印Ｌで示す方向に力が発生し、振動板５０を矢印Ｌの方向に振動させて音響に変換する。このときスピーカエッジ５１は振動板５０の変位に応じて変形し、振動板５０の姿勢を支持する。
【００４６】
ここで用いられる導線５４は本発明に係わる第一実施例で説明した導線２、又は第二実施例で説明した導線３が好適に用いられる。それらの作用、効果は上述したように、隣接した素線２ａ、３ａが接触したり、断線したりしても入力側から見た電気抵抗は変化することは無いので、ボイスコイル４６に流れる電流は入力信号レベルに従って変動し、従って振動板５０も入力信号レベルに従って振動することになる。また、機械的抵抗は極めて少ないので、振動板５０は入力信号に忠実に振動し、高品位の音声出力が得られることになる。
【００４７】
本発明は、上述した実施形態に限られるものではなく、請求の範囲及び明細書全体から読み取れる発明の要旨或いは思想に反しない範囲で適宜変更可能であり、そのような変更を伴う導線及びこれを用いたスピーカもまた本発明の技術思想に含まれるものである。
【図面の簡単な説明】
【図１】従来の素線の構成を示す図であって、（ａ）は斜視図であり、（ｂ）は断面図である。
【図２】図１に示す素線を３本用いて形成した線材の断面図である。
【図３】図２に示す線材を３本用いて形成した錦糸線の断面図である。
【図４】本発明の第一実施例に係わる素線の構成を示す図であって、（ａ）は斜視図であり、（ｂ）は断面図である。
【図５】図４に示す素線を３本用いて形成した線材の断面図である。
【図６】図５に示す線材を３本用いて形成した導線の断面図である。
【図７】本発明の第二実施例に係わる素線の構成を示す図であって、（ａ）は斜視図であり、（ｂ）は断面図である。
【図８】図７に示す素線を３本用いて形成した線材の断面図である。
【図９】図８に示す線材を３本用いて形成した導線の断面図である。
【図１０】本発明の導線を適用したスピーカの断面図である。
【符号の説明】
１、２、３・・・導線
１ａ、２ａ、３ａ・・・素線
１ｂ、２ｂ、３ｂ・・・線材
４・・・スピーカ
１１、２１、３１・・・芯糸
１２、２２、３２・・・導体
２３、３３・・・絶縁体
４１・・・マグネット
４２・・・ヨーク
４３・・・プレート
４４・・・磁気空隙
４５・・・ボイスコイルボビン
４６・・・ボイスコイル
４７・・・フレーム
４８・・・ダンパー
４９・・・ダストキャップ
５１・・・スピーカエッジ
５２・・・入力端子
５３・・・リード線
５４・・・錦糸線（導線）
【図１】
2004178838.tif 000003
【図２】
2004178838.tif 000004
【図３】
2004178838.tif 000005
【図４】
2004178838.tif 000006
【図５】
2004178838.tif 000007
【図６】
2004178838.tif 000008
【図７】
2004178838.tif 000009
【図８】
2004178838.tif 000010
【図９】
2004178838.tif 000011
【図１０】
2004178838.tif 000012